(57)【要約】  【課題】  原稿の表裏両面に形成された画像を読み取ることのできる両面同時読み取りにおいて、読み取られた表裏面の画像データにおける画質差の発生を抑制する。  【解決手段】  シェーディング補正など、光源(照明ランプやＬＥＤ)とセンサ(ＣＣＤイメージセンサ７８やＣＩＳ５０によって)との関係によって決定される各読み取り部固有の特性については、それぞれ専用の表面前処理部１０４や裏面前処理部１０６において前処理を施す。一方、その他の一般的な画質に関わるフィルタ処理、拡大・縮小処理、色変換処理、階調変換処理(ＴＲＣ)、あるいは全面ＡＥやＴＩ分離等については表面画像データ、裏面画像データ共に同じ後処理部１０５において後処理を施す。  【選択図】  図４
2006013924.tif 000002
【特許請求の範囲】
【請求項１】
原稿の一方の側から当該原稿における第１面の画像を読み取る第１の読み取り手段と、
前記原稿の他方の側から当該原稿における第２面の画像を読み取る第２の読み取り手段と、
前記第１の読み取り手段にて読み取られた前記第１面の画像データを、当該第１の読み取り手段に起因する特性を加味して第１の画像データに補正する第１の前処理手段と、
前記第２の読み取り手段にて読み取られた前記第２面の画像データを、当該第２の読み取り手段に起因する特性を加味して第２の画像データに補正する第２の前処理手段と、
前記第１の前処理手段にて前処理された第１の画像データおよび前記第２の前処理手段にて前処理された第２の画像データに後処理を施す後処理手段と
を含む画像読み取り装置。
【請求項２】
前記第１の前処理手段は、前記第１の読み取り手段にて読み取られた前記第１面の画像データをシェーディング補正し、
前記第２の前処理手段は、前記第２の読み取り手段にて読み取られた前記第２面の画像データをシェーディング補正すること
を特徴とする請求項１記載の画像読み取り装置。
【請求項３】
前記後処理手段は、前記第１の前処理手段より出力された前記第１の画像データおよび前記第２の前処理手段より出力された前記第２の画像データに対し、フィルタ処理および拡大・縮小処理を行うことを特徴とする請求項１記載の画像読み取り装置。
【請求項４】
前記第１の読み取り手段と前記第２の読み取り手段とでは、前記原稿の画像を読み取るセンサの種類が異なることを特徴とする請求項１記載の画像読み取り装置。
【請求項５】
原稿の一方の側から当該原稿における第１面の画像を読み取る第１の読み取り手段と、
前記原稿の他方の側から当該原稿における第２面の画像を読み取る第２の読み取り手段と、
前記第１の読み取り手段にて読み取られた前記第１面の画像データを、当該第１の読み取り手段に起因する特性を加味して補正すると共に当該第１面の画像データのデータ量を当該第１面のデータ量よりも少ないデータ量に変換して第１の画像データを作成する第１の前処理手段と、
前記第２の読み取り手段にて読み取られた前記第２面の画像データを、当該第２の読み取り手段に起因する特性を加味して補正すると共に当該第１面の画像データのデータ量を当該第２面のデータ量よりも少ないデータ量に変換して第２の画像データを作成する第２の前処理手段と、
前記第１の前処理手段より出力された前記第１の画像データおよび前記第２の前処理手段より出力された前記第２の画像データを格納する格納手段と、
前記格納手段より読み出された前記第１の画像データおよび前記第２の画像データに後処理を施す後処理手段と
を含む画像読み取り装置。
【請求項６】
前記第１の前処理手段は、前記第１の読み取り手段にて読み取られた前記第１面の画像データにおける副走査方向の解像度を半分以下にし、
前記第２の前処理手段は、前記第２の読み取り手段にて読み取られた前記第２面の画像データにおける副走査方向の解像度を半分以下にすること
を特徴とする請求項５記載の画像読み取り装置。
【請求項７】
前記後処理手段は、前記第１の画像データに対して当該第１の画像データ全体に基づいた画像処理を行うと共に前記第２の画像データに対して当該第２の画像データ全体に基づいた画像処理を行うことを特徴とする請求項５記載の画像読み取り装置。
【請求項８】
前記後処理手段は、前記第１の画像データ全体に基づいて得られた当該第１の画像データにおける下地を除去し、前記第２の画像データ全体に基づいて得られた当該第２の画像データにおける下地を除去することを特徴とする請求項５記載の画像読み取り装置。
【請求項９】
前記後処理手段は、前記第１の読み取り手段および前記第２の読み取り手段にて次の原稿を読み取っている間に、前記格納手段より読み出された前記第１の画像データおよび前記第２の画像データを後処理することを特徴とする請求項５記載の画像読み取り装置。
【発明の詳細な説明】
【技術分野】
【０００１】
本発明は、原稿の画像を読み取る画像読み取り装置に係り、より詳しくは、原稿の表裏両面に形成された画像を読み取る画像読み取り装置に関する。
【背景技術】
【０００２】
従来、複写機やファクシミリ等の読み取り装置、コンピュータ入力用のスキャナ等として、原稿における表裏両面の画像情報をユーザの介在なしに自動的に読み取る画像読み取り装置(自動両面読み取り装置)が広く用いられている。これらの自動両面読み取り装置としては、原稿反転部にて原稿を表裏反転させて読み取る方法が最も広く採用されている。即ち、この従来の方法にて表裏両面の画像情報を入力する際には、原稿読み取り部で片面を読み取った後、排出された原稿を表裏反転させて再び原稿読み取り部に搬送し、この原稿読み取り部にて他の片面を読み取っている。
【０００３】
しかし、この表裏反転による自動両面読み取りでは、一旦、原稿を排出した後に反転させて再度、原稿読み取り部に搬送する必要があることから、両面読み取りに際して時間が多くかかり、両面読み取りに際して生産性が劣ってしまう。また、原稿反転部では、原稿を表裏反転させるために複雑な機構が必要となり、この原稿反転部での原稿詰まり(ＪＡＭ)の発生割合が他の搬送部と比べて高く、信頼性を向上させることが要求されていた。更には、狭いスペースにて自動両面読み取り装置を設計する場合に、原稿を反転させ、また排紙時に原稿のページ数を揃える必要性等から、原稿を小さな径にて急激に反転させる必要性が生じる場合がある。その結果、坪量の大きな所定の厚紙からなる原稿を搬送することが難しかった。
【０００４】
そこで、原稿を搬送する原稿パスの表裏両面側に２つのイメージセンサを設け、原稿を表裏反転させることなく、１回の原稿搬送にて原稿の両面を自動的に読み取る技術が検討されている(例えば、特許文献１参照)。
【０００５】
【特許文献１】特開２０００−３５６８６７号公報(第５頁、図１)
【発明の開示】
【発明が解決しようとする課題】
【０００６】
ところで、上述した画像読み取り装置では、一般的に、原稿パスの表裏両面側に設けられた２つのイメージセンサに対応して、それぞれ専用の画像処理回路が設けられる。そして、例えば表面用の画像処理回路では、表面用のイメージセンサから入力されてくる表面の画像データに対して各種の画像処理が施され、例えば裏面用の画像処理回路では、裏面用のイメージセンサから入力されてくる裏面の画像データに対して各種の画像処理が施される。
【０００７】
しかしながら、このように表面、裏面で異なる画像処理回路を使用した場合には、それぞれにおいて同じ処理を施す場合であっても、表面用の画像処理回路と裏面用の画像処理回路とで画像データに対する画像処理の特性が異なってしまい、得られた表面画像データおよび裏面画像データの画質に違いが生じてしまうおそれがあった。また、表面の画像データ、裏面の画像データに対してそれぞれ専用の画像処理回路を設けなければならない分、装置の大型化やコストアップを招いていた。
【０００８】
本発明は、かかる技術的課題を解決するためになされたものであって、その目的とするところは、原稿の表裏両面に形成された画像を読み取ることのできる両面同時読み取りにおいて、読み取られた表裏面の画像データにおける画質差の発生を抑制することにある。
また、他の目的は、原稿の表裏両面に形成された画像を読み取る両面同時読み取りにおいて、装置構成の小型化、低コスト化を図ることにある。
【課題を解決するための手段】
【０００９】
かかる目的のもと、本発明が適用される画像読み取り装置は、原稿の一方の側から原稿における第１面の画像を第１の読み取り手段で読み取り、原稿の他方の側から原稿における第２面の画像を第２の読み取り手段で読み取り、第１の読み取り手段にて読み取られた第１面の画像データを、第１の読み取り手段に起因する特性を加味して第１の前処理手段で第１の画像データに補正し、第２の読み取り手段にて読み取られた第２面の画像データを、第２の読み取り手段に起因する特性を加味して第２の前処理手段で第２の画像データに補正し、第１の前処理手段にて前処理された第１の画像データおよび第２の前処理手段にて前処理された第２の画像データに後処理手段で後処理を施す。
【００１０】
ここで、第１の前処理手段は、第１の読み取り手段にて読み取られた第１面の画像データをシェーディング補正し、第２の前処理手段は、第２の読み取り手段にて読み取られた第２面の画像データをシェーディング補正することを特徴とすることができる。
また、後処理手段は、上述した第１の読み取り手段や第２の読み取り手段に起因しない特性について画像処理を施すものであり、例えば、後処理手段は、第１の前処理手段より出力された第１の画像データおよび第２の前処理手段より出力された第２の画像データに対し、フィルタ処理および拡大・縮小処理を行うことを特徴とすることができる。さらに、第１の読み取り手段と第２の読み取り手段とでは、原稿の画像を読み取るセンサの種類が異なることを特徴とすることができる。
【００１１】
また、他の観点から捉えると、本発明が適用される画像読み取り装置は、原稿の一方の側から原稿における第１面の画像を第１の読み取り手段で読み取り、原稿の他方の側から原稿における第２面の画像を第２の読み取り手段で読み取り、第１の読み取り手段にて読み取られた第１面の画像データを、第１の読み取り手段に起因する特性を加味して補正すると共に第１面の画像データのデータ量を第１面のデータ量よりも少ないデータ量に変換して第１の前処理手段で第１の画像データを作成し、第２の読み取り手段にて読み取られた第２面の画像データを、第２の読み取り手段に起因する特性を加味して補正すると共に第１面の画像データのデータ量を第２面のデータ量よりも少ないデータ量に変換して第２の前処理手段で第２の画像データを作成し、第１の前処理手段より出力された第１の画像データおよび第２の前処理手段より出力された第２の画像データを格納手段に格納し、格納手段より読み出された第１の画像データおよび第２の画像データに後処理手段で後処理を施す。
【００１２】
ここで、第１の前処理手段は、第１の読み取り手段にて読み取られた第１面の画像データにおける副走査方向の解像度を半分以下にし、第２の前処理手段は、第２の読み取り手段にて読み取られた第２面の画像データにおける副走査方向の解像度を半分以下にすることを特徴とすることができる。また、後処理手段は、上述した第１の読み取り手段や第２の読み取り手段に起因しない特性について画像処理を施すものであり、例えば、後処理手段は、第１の画像データ全体に基づく画像処理を行うと共に第２の画像データ全体に基づく画像処理を行うことを特徴とすることができる。さらに、後処理手段は、第１の画像データ全体に基づいて得られた第１の画像データにおける下地を除去し、第２の画像データ全体に基づいて得られた第２の画像データにおける下地を除去することを特徴とすることができる。そして、後処理手段は、第１の読み取り手段および第２の読み取り手段にて次の原稿を読み取っている間に、格納手段より読み出された第１の画像データおよび第２の画像データを後処理することを特徴とすることができる。
【発明の効果】
【００１３】
本発明によれば、原稿の表裏両面に形成された画像を読み取ることのできる両面同時読み取りにおいて、読み取られた表裏面の画像データにおける画質差の発生を抑制することができる。
【発明を実施するための最良の形態】
【００１４】
以下、添付図面を参照して、本発明を実施するための最良の形態(以下、実施の形態という)について詳細に説明する。
図１は本実施の形態が適用される画像読み取り装置を示した図である。この画像読み取り装置は、積載された原稿束から原稿を順次、搬送する原稿送り装置１０、スキャンによって画像を読み込むスキャナ装置７０、読み込まれた画像信号を処理する処理装置８０、および処理装置８０からの出力に対して画像処理を施す画像処理装置１００に大別される。
【００１５】
原稿送り装置１０は、給紙部の構成要素の一例として、複数枚の原稿からなる原稿束を積載する原稿トレイ１１、原稿トレイ１１を上昇および下降させるトレイリフタ１２を備えている。また、トレイリフタ１２により上昇された原稿トレイ１１の原稿を搬送するナジャーロール１３、ナジャーロール１３により搬送された原稿を更に下流側まで搬送するフィードロール１４、ナジャーロール１３により供給される原稿を１枚づつ捌くリタードロール１５を備えている。最初に原稿が搬送される第１搬送路３１には、一枚づつに捌かれた原稿を下流側のロールまで搬送するテイクアウェイロール１６、原稿を更に下流側のロールまで搬送すると共にループ作成を行うプレレジロール１７、一旦、停止した後にタイミングを合わせて回転を再開し、原稿読み取り部に対してレジストレーション調整を施しながら原稿を供給するレジロール１８、読み込み中の原稿搬送をアシストするプラテンロール１９、読み込まれた原稿を更に下流に搬送するアウトロール２０を備えている。また、第１搬送路３１には、搬送される原稿のループ状態に応じて支点を中心として回動するバッフル４１を備えている。更に、プラテンロール１９とアウトロール２０との間には、本実施の形態における第２の読み取り手段である、ＣＩＳ(Contact Image Sensor)５０を備えている。
【００１６】
アウトロール２０の下流側には、第２搬送路３２および第３搬送路３３が設けられ、これらの搬送路を切り替える搬送路切替ゲート４２、読み込みが終了した原稿を積載させる排出トレイ４０、排出トレイ４０に対して原稿を排出させる第１排出ロール２１を備えている。また、第３搬送路３３を経由した原稿に対してスイッチバックさせる第４搬送路３４、第４搬送路３４に設けられ、実際に原稿のスイッチバックを行うインバータロール２２およびインバータピンチロール２３、第４搬送路３４によってスイッチバックされた原稿を再度、プレレジロール１７等を備える第１搬送路３１に導く第５搬送路３５、第４搬送路３４によってスイッチバックされた原稿を排出トレイ４０に排出する第６搬送路３６、第６搬送路３６に設けられ、反転排出される原稿を第１排出ロール２１まで搬送する第２排出ロール２４、第５搬送路３５および第６搬送路３６の搬送経路を切り替える出口切替ゲート４３を備えている。
【００１７】
ナジャーロール１３は、待機時にはリフトアップされて退避位置に保持され、原稿搬送時にニップ位置(原稿搬送位置)へ降下して原稿トレイ１１上の最上位の原稿を搬送する。ナジャーロール１３およびフィードロール１４は、フィードクラッチ(図示せず)の連結によって原稿の搬送を行う。プレレジロール１７は、停止しているレジロール１８に原稿先端を突き当ててループを作成する。レジロール１８では、ループ作成時に、レジロール１８に噛み込んだ原稿先端をニップ位置まで戻している。このループが形成されると、バッフル４１は支点を中心として開き、原稿のループを妨げることのないように機能している。また、テイクアウェイロール１６およびプレレジロール１７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって、第２プラテンガラス７２Ｂ(後述)に押圧されて、下面方向から画像データが読み込まれる。
【００１８】
搬送路切替ゲート４２は、片面原稿の読み取り終了時、および両面原稿の両面同時読み取りの終了時に、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ(図示せず)がオフの状態でリトラクトされてニップが開放され、原稿をインバータパス(第４搬送路３４)へ導いている。その後、このインバータピンチロール２３はニップされ、インバータロール２２によってインバートする原稿をプレレジロール１７へ導き、また、反転排出する原稿を第６搬送路３６の第２排出ロール２４まで搬送している。
【００１９】
スキャナ装置７０は、上述した原稿送り装置１０を載置可能に構成されると共に、この原稿送り装置１０を装置フレーム７１によって支え、また、原稿送り装置１０によって搬送された原稿の画像読み取りを行っている。このスキャナ装置７０は、筐体を形成する装置フレーム７１に、画像を読み込むべき原稿を静止させた状態で載置する第１プラテンガラス７２Ａ、原稿送り装置１０によって搬送中の原稿を読み取るための光の開口部を形成する第２プラテンガラス７２Ｂが設けられている。
【００２０】
また、スキャナ装置７０は、第２プラテンガラス７２Ｂの下に静止し、および第１プラテンガラス７２Ａの全体に亘ってスキャンして画像を読み込むフルレートキャリッジ７３、フルレートキャリッジ７３から得られた光を像結合部へ提供するハーフレートキャリッジ７５を備えている。フルレートキャリッジ７３には、白色光源からなり原稿に光を照射する照明ランプ７４、原稿から得られた反射光を受光する第１ミラー７６Ａが備えられている。更に、ハーフレートキャリッジ７５には、第１ミラー７６Ａから得られた光を結像部へ提供する第２ミラー７６Ｂおよび第３ミラー７６Ｃが備えられている。更に、スキャナ装置７０は、第３ミラー７６Ｃから得られた光学像を光学的に縮小する結像用レンズ７７、結像用レンズ７７によって結像された光学像を光電変換するＣＣＤ(Charge Coupled Device)イメージセンサ７８、ＣＣＤイメージセンサ７８を備える駆動基板７９を備え、ＣＣＤイメージセンサ７８によって得られた画像信号は駆動基板７９を介して処理装置８０に送られる。本実施の形態では、第１の読み取り手段であるＣＣＤイメージセンサ７８として、原稿の画像をカラー画像として読み取る所謂カラーセンサが用いられている。
【００２１】
ここで、まず、第１プラテンガラス７２Ａに載置された原稿の画像を読み取る場合には、フルレートキャリッジ７３とハーフレートキャリッジ７５とが、２：１の割合でスキャン方向(矢印方向)に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向(スキャンの主走査方向)の１ラインの読み取りが終了すると、主走査方向とは直交する方向(副走査方向)にフルレートキャリッジ７３を移動させ、原稿の次のラインを読み取る。これを原稿サイズ全体に亘って実行することで、１ページの原稿読み取りを完了させる。
【００２２】
一方、第２プラテンガラス７２Ｂは、例えば長尺の板状構造をなす透明なガラスプレートで構成される。原稿送り装置１０によって搬送される原稿がこの第２プラテンガラス７２Ｂの上を通過する。このとき、フルレートキャリッジ７３とハーフレートキャリッジ７５とは、図１に示す実線の位置に停止した状態にある。まず、原稿送り装置１０のプラテンロール１９を経た原稿の１ライン目の反射光が、第１ミラー７６Ａ、第２ミラー７６Ｂ、および第３ミラー７６Ｃを経て結像用レンズ７７にて結像され、本実施の形態における第１のセンサであるＣＣＤイメージセンサ７８によって画像が読み込まれる。即ち、１次元のセンサであるＣＣＤイメージセンサ７８によって主走査方向の１ライン分を同時に処理した後、原稿送り装置１０によって搬送される原稿の次の主走査方向の１ラインが読み込まれる。原稿の先端が第２プラテンガラス７２Ｂの読み取り位置に到達した後、原稿が第２プラテンガラス７２Ｂの読み取り位置を通過することによって、副走査方向に亘って１ページの読み取りが完了する。
【００２３】
本実施の形態では、フルレートキャリッジ７３とハーフレートキャリッジ７５とを停止させ、第２プラテンガラス７２ＢにてＣＣＤイメージセンサ７８により原稿の第１面の読み取りを行う原稿の搬送時に、同時(時間の完全一致ではなく、同一の原稿搬送時程度の意味) に第２のセンサであるＣＩＳ５０によって、原稿の第２面の読み取りを行うことが可能である。即ち、第１のセンサであるＣＣＤイメージセンサ７８と第２のセンサであるＣＩＳ５０とを用いて、搬送路への原稿の一度の搬送で、この原稿における表裏両面の画像を同時に読み取ることを可能としている。なお、これらＣＣＤイメージセンサ７８とＣＩＳ５０とで、読み取り手段が構成される。
【００２４】
図２は、ＣＩＳ５０を用いた読み取り構造を説明するための図である。図２に示すように、ＣＩＳ５０は、プラテンロール１９とアウトロール２０との間に設けられる。原稿の片面(第１面)は、第２プラテンガラス７２Ｂに押し当てられ、この第１面の画像はＣＣＤイメージセンサ７８にてカラー画像として読み込まれる。一方、ＣＩＳ５０では、原稿を搬送する搬送路を介して対向する他方の側から、片面(第２面)の画像が読み込まれる。このＣＩＳ５０は、ガラス５１と、このガラス５１を透過して原稿の第２面に光を照射するＬＥＤ(Light Emitting Diode)アレイ５２と、ＬＥＤアレイ５２からの反射光を集光するレンズアレイであるセルフォックレンズ(登録商標)５３と、このセルフォックレンズ５３により集光された光を読み取るイメージセンサであるラインセンサ５４を備えている。ラインセンサ５４としては、ＣＣＤやＣＭＯＳセンサ、密着型センサ等を用いることができ、実寸幅(例えばＡ４長手幅２９７ｍｍ)の画像を読み取ることが可能である。ＣＩＳ５０では、縮小光学系を用いずに、セルフォックレンズ５３とラインセンサ５４を用いて画像の取り込みを行うことから、構造をシンプルにすることができ、且つ、筐体を小型化し、消費電力を低減することができる。なお、本実施の形態では、ＣＩＳ５０が、原稿の画像を白黒画像として読み取るようになっている。
【００２５】
また、ＣＩＳ５０による画像読み取りに際して、この読み取り部を構成する搬送路に、ＣＩＳ５０の筐体から延びる制御部材５５、制御部材５５によって押し付けられた用紙を突き当てる突き当て部材６０を備えている。また、この突き当て部材６０の下流側にはガイド部材６１が設けられている。制御部材５５および突き当て部材６０は、原稿の搬送路に直交する方向に(即ち、原稿送り装置１０の前面から後面の方向に)、原稿送り装置１０の前面から後面まで、搬送路の位置に対応して設けられている。
【００２６】
また、ＣＩＳ５０は、光学結像レンズにセルフォックレンズ５３を採用していることから、焦点(被写界)深度が±０.３ｍｍ程度と浅く、スキャナ装置７０を用いた場合に比べて約１/１３以下の深度となっている。ＣＩＳ５０による読み取りに際しては、原稿の読み取り位置を所定の狭い範囲内に定めることが要求される。そこで、本実施の形態では、制御部材５５を設け、原稿を制御部材５５によって突き当て部材６０に押し当てて搬送し、プラテンロール１９とアウトロール２０との間にある原稿の姿勢を安定的に制御できるように構成した。図２の実線矢印に示す「用紙の動きＢ」は、制御部材５５が存在しない場合の用紙の動きを示したものであり、二点鎖線矢印に示す「用紙の動きＡ」は、制御部材５５を設けた場合の用紙の動きを示したものである。「用紙の動きＡ」では、原稿が突き当て部材６０に押し当てられて搬送されることが理解できる。即ち、制御部材５５によって搬送される原稿を突き当て部材６０に押し当てられた状態にて読み取ることで、被写界深度の浅いＣＩＳ５０を用いた場合のピントの甘さを改善している。
【００２７】
次に、図１に示す処理装置８０について説明する。
図３は、処理装置８０を説明するためのブロック図である。本実施の形態が適用される処理装置８０は、大きく、センサ(ＣＣＤイメージセンサ７８およびＣＩＳ５０)から得られた画像情報を処理する信号処理部８１と、原稿送り装置１０およびスキャナ装置７０を制御する制御部９０とを備えている。信号処理部８１は、原稿の表面(第１面)を読み取るＣＣＤイメージセンサ７８および裏面(第２面)を読み取るＣＩＳ５０(ラインセンサ５４)からの各々の出力に対して、アナログ信号の処理を行うＡＦＥ(Analog Front End)８２、アナログ信号をディジタル信号に変換するＡＤＣ(Analog Digital Converter)８３、ディジタル信号に対してシェーディング補正やオフセット補正等の各種処理を施すディジタル処理部８４が２系統、備えられており、表面(第１面)および裏面(第２面)の読み取り画像に対して、別々にディジタル処理が施される。このディジタル処理部８４により処理されたディジタル信号は、画像処理装置(ＩＰＳ)１００にて解像度変換等の処理がなされ、例えばプリンタ等のＩＯＴ(Image Output Terminal)や、パーソナルコンピュータ(ＰＣ)等のホストシステムへ出力される。
【００２８】
一方、制御部９０は、各種両面読み取りの制御や片面読み取りの制御等を含め、原稿送り装置１０およびスキャナ装置７０の全体を制御する画像読み取りコントロール９１、ＣＣＤイメージセンサ７８およびＣＩＳ５０を制御するＣＣＤ/ＣＩＳコントロール９２、読み取りタイミングに合わせてＣＩＳ５０のＬＥＤアレイ５２やフルレートキャリッジ７３の照明ランプ７４を制御するランプコントロール９３、スキャナ装置７０におけるモータのオン/オフなどを行いフルレートキャリッジ７３とハーフレートキャリッジ７５とのスキャン動作を制御するスキャンコントロール９４、原稿送り装置１０におけるモータの制御、各種ロールの動作やフィードクラッチの動作、ゲートの切り替え動作等を制御する搬送機構コントロール９５を備えている。これらの各種コントロールからは、原稿送り装置１０およびスキャナ装置７０に対して制御信号が出力され、かかる制御信号に基づいて、これらの動作制御が可能となる。画像読み取りコントロール９１は、ホストシステムからの制御信号や、例えば自動選択読み取り機能に際して検出されるセンサ出力、ユーザからの選択等に基づいて、読み取りモードを設定し、原稿送り装置１０およびスキャナ装置７０を制御している。読み取りモードとしては、１パス(反転なし)による両面同時読み取りモード、反転パスによる両面読み取りモード、１パスによる片面読み取りモードが考えられる。
【００２９】
次に、画像処理装置１００の機能および動作について説明する。
図４は、本実施の形態が適用される画像処理装置１００の構成を示したブロック図である。画像処理装置１００は、ＣＣＤイメージセンサ７８から得られ、ディジタル化された高解像度(例えば６００ＳＰＩ(Spot Per Inch)×６００ＳＰＩ)のフルカラー画像あるいは白黒画像からなる表面(第１面)の画像データを処理する第１の画像処理部１０１、ＣＩＳ５０から得られ、ディジタル化された高解像度(例えば６００ＳＰＩ(Spot Per Inch)×６００ＳＰＩ)の白黒画像からなる裏面(第２面)の画像データを処理する第２の画像処理部１０２、第１の画像処理部１０１や第２の画像処理部１０２によって画像処理されて入力される画像データを格納する格納手段としての画像データ格納部１０３を有している。
【００３０】
第１の画像処理部１０１は、ＣＣＤイメージセンサ７８によって読み取られた表面画像データに対してシェーディング補正等を行う第１の前処理部としての表面前処理部１０４と、拡大・縮小処理、フィルタ処理、全面ＡＥによる下地除去やＴＩ分離(TextとImageとの分離)処理等を行う後処理手段としての後処理部１０５とを有している。一方、第２の画像処理部１０２は、ＣＩＳ５０によって読み取られた裏面画像データに対してシェーディング補正等を行う第２の前処理部としての裏面前処理部１０６のみを有している。なお、ＣＩＳ５０によって読み取られた裏面画像データは、後述するように、裏面前処理部１０６によって前処理された後、一旦、画像データ格納部１０３に格納され、第１の画像処理部１０１に設けられた後処理部１０５によって後処理された後、出力される。
【００３１】
画像データ格納部１０３は、入力されてくる表面画像データ、裏面画像データ(共にパラレルデータ)のシリアル変換等を行うプログラマブルロジックアレイ１０７、プログラマブルロジックアレイ１０７から出力されたデータを格納するメモリＡ１０８、メモリＢ１０９、メモリＣ１１０、これらメモリＡ１０８、メモリＢ１０９、メモリＣ１１０をそれぞれコントロールするメモリコントローラＡ１１１、メモリコントローラＢ１１２、メモリコントローラＣ１１３、を有している。なお、本実施の形態に係る画像読み取り装置では、ＣＣＤイメージセンサ７８を用いて原稿の画像をカラー画像として読み取る場合に、読み取られたカラー画像データをＲＧＢ(あるいはＬａ*ｂ*)データとして処理を行うことがあるため、色毎に画像データを格納する目的で、三つのメモリ(メモリＡ１０８、メモリＢ１０９、メモリＣ１１０)を設けている。また、この画像読み取り装置では、ＣＣＤイメージセンサ７８を用いて原稿の画像をフルカラー画像として読み取る場合に、通常、１枚の原稿を解像度６００ＳＰＩ×６００ＳＰＩ且つＲＧＢ各色８ビット(２５６)の階調で読み込むことができるようになっている。このため、三つのメモリ(メモリＡ１０８、メモリＢ１０９、メモリＣ１１０)は、各色(３色)に対して、解像度６００ＳＰＩ×６００ＳＰＩ且つ２５６階調のカラー画像データを格納できるだけのメモリ容量を有している。
【００３２】
では、この画像読み取り装置を用いた両面原稿の読み取り処理について詳細に説明する。図５は、白黒原稿(Ｂ/Ｗ原稿)、解像度６００ＳＰＩ、全面ＡＥなし、ＴＩ分離処理なしで、生産性１００％とした場合における両面読み取り処理の流れを示したフローチャートである。ここで、原稿送り装置１０の最大となる原稿搬送能力を用いて原稿片面の読み取りを行い、外部に画像データを出力するに際して原稿送り装置１０による原稿搬送を停止させずに(待たせずに)、順次、読み出しを実行する状態を「生産性１００％」としている。また、「全面ＡＥ」とは、原稿を読み取って得られた画像データ全体すなわち原稿全面の画像データに基づいて原稿の下地分を検出し、画像データから下地分を除去するものである。さらに、「ＴＩ分離」とは、原稿を読み取って得られた画像データ内において文字領域(Text領域)と画像領域(Image領域)とを分離し、それぞれテキストあるいはイメージに適した画像処理を施すものである。
【００３３】
図５を用いてこの処理の流れを説明すると、まず、原稿送り装置１０による原稿の搬送が行われ、ＣＣＤイメージセンサ７８による原稿の第１面(表面)の読み取りおよびＣＩＳ５０による原稿の第２面(裏面)の読み取りが行われる(ステップ１０１)。これらのうちＣＣＤイメージセンサ７８によって読み取られた原稿の第１面の白黒画像データ(表面画像データ)は、信号処理部８１によってディジタル化処理が施された後に第１の画像処理部１０１の表面前処理部１０４で前処理、具体的にはシェーディング補正処理およびＯｄｄ/Ｅｖｅｎの８ビット×２データ(１６ビットのデータ)で出力するための処理が行われる。ここで、Ｏｄｄ/Ｅｖｅｎといった偶数/奇数の２系統を採用しているのは、通常の画像処理(例えばこの画像処理)において、処理の生産性を向上させるためである。そして、後処理部１０５においてフィルタ処理、拡大・縮小処理、色変換処理、階調変換処理(ＴＲＣ)等が行われ、その後外部に出力される(ステップ１０２)。
【００３４】
一方、ステップ１０１においてＣＩＳ５０によって読み取られた原稿の第２面の白黒画像データ(裏面画像データ)は、信号処理部８１によってディジタル化処理が施された後に第２の画像処理部１０２の裏面前処理部１０６で前処理が行われる(ステップ１０３)。ここで、前処理としては、シェーディング補正処理およびＯｄｄ/Ｅｖｅｎの８ビット×２データすなわち１６ビットのデータとして出力するための処理が行われ、その後画像データ格納部１０３に格納される(ステップ１０４)。ここで、裏面前処理部１０６から画像データ格納部１０３に入力されるＯｄｄ/Ｅｖｅｎのパラレルデータからなる裏面画像データは、プログラマブルロジックアレイ１０７にてシリアルデータに変換される。なお、この例では、裏面前処理部１０６から出力される裏面画像データが上述したように８ビット×２(１６ビット)の白黒画像データであることから、裏面画像データを格納するために必要なメモリ容量はメモリＡ１０８,メモリＢ１０９,メモリＣ１１０のいずれか二つ分であればよく、例えばメモリコントローラＡ１１１,メモリコントローラＢ１１２によってメモリＡ１０８,メモリＢ１０９に書き込むことができる。そして、上記ステップ１０２における表面画像データの出力が終了した後にメモリコントローラＡ１１１,メモリコントローラＢ１１２に対して裏面画像データを読み出すためのメモリ読み出し信号が出力される(ステップ１０５)。これにより、メモリＡ１０８,メモリＢ１０９に格納された裏面画像データが第１の画像処理部１０１に設けられた後処理部１０５に入力されると、後処理部１０５でフィルタ処理、拡大・縮小処理、色変換処理、階調変換処理(ＴＲＣ)等が行われ、その後に外部に出力される(ステップ１０６)。そして、次に読み込むべき原稿が存在するか否かが判断され(ステップ１０７)、次の原稿が存在する場合にはステップ１０１に戻って処理を続行し、次の原稿が存在しない場合には処理を終了する。
【００３５】
このように、全面ＡＥやＴＩ分離等を行わない通常の両面同時読み取り処理では、読み取った表面画像データを先に前処理、後処理を施して出力する一方、読み取った裏面画像データについては、前処理を行った後に一旦画像データ格納部１０３に格納しておき、表面画像データの後処理が終わった後に後処理を行うことができる。
【００３６】
次に、他の処理例について説明する。図６は、白黒原稿(Ｂ/Ｗ原稿)、解像度６００ＳＰＩ、全面ＡＥあり、ＴＩ分離処理なしで、生産性１００％とした場合における両面読み取り処理の流れを示したフローチャートである。
図６を用いて処理の流れを説明すると、まず、原稿送り装置１０による原稿の搬送が行われ、ＣＣＤイメージセンサ７８による原稿の第１面の読み取りおよびＣＩＳ５０による同じ原稿の第２面の読み取りが行われる(ステップ２０１)。これらのうちＣＣＤイメージセンサ７８によって読み取られた原稿の第１面の白黒画像データ(表面画像データ)は、信号処理部８１によってディジタル化処理が施された後に第１の画像処理部１０１の表面前処理部１０４で前処理が行われる(ステップ２０２)。ここで、前処理としては、シェーディング補正処理およびＯｄｄ/Ｅｖｅｎではない８ビットのデータとして出力する処理が行われる。そして、表面前処理部１０４から出力された８ビットの表面画像データは、画像データ格納部１０３に格納される(ステップ２０３)。なお、この例では、表面画像データが上述したように８ビットの白黒画像データであることから、表面画像データを格納するために必要なメモリ容量はメモリＡ１０８,メモリＢ１０９,メモリＣ１１０のいずれか一つ分であればよく、例えばメモリコントローラＡ１１１によってメモリＡ１０８に書き込むことができる。そして、得られた表面画像データの全域を用いて、表面画像データ中における原稿下地の判定(全面ＡＥ判定)が行われる(ステップ２０４)。
【００３７】
一方、ステップ２０１においてＣＩＳ５０によって読み取られた原稿の第２面の白黒画像データ(裏面画像データ)は、信号処理部８１によってディジタル化処理が施された後に第２の画像処理部１０２の裏面前処理部１０６で前処理が行われる(ステップ２０５)。ここで、前処理としては、上述した表面画像データに対する前処理と同様に、シェーディング補正処理およびＯｄｄ/Ｅｖｅｎではない８ビットのデータとして出力する処理が行われる。そして、裏面前処理部１０６から出力された８ビットの裏面画像データは、画像データ格納部１０３に格納される(ステップ２０６)。なお、この例では、裏面画像データが上述したように８ビットの白黒画像データであることから、裏面画像データを格納するために必要なメモリ容量はメモリＡ１０８,メモリＢ１０９,メモリＣ１１０のいずれか一つ分であればよく、例えばメモリコントローラＢ１１２によってメモリＢ１０９に書き込むことができる。そして、得られた裏面画像データの全域を用いて、裏面画像データ中における原稿下地の判定(全面ＡＥ判定)が行われる(ステップ２０７)。
【００３８】
次に、メモリコントローラＡ１１１に対して表面画像データを読み出すためのメモリ読み出し信号が出力される(ステップ２０８)。これにより、メモリＡ１０８に格納された表面画像データが第１の画像処理部１０１に設けられた後処理部１０５に入力されると、後処理部１０５でフィルタ処理、拡大・縮小処理、色変換処理、階調変換処理(ＴＲＣ)、および、ステップ２０４で求められたＡＥ判定結果に基づく下地除去等が行われ、その後に外部に出力される(ステップ２０９)。
【００３９】
そして、次に読み込むべき原稿が存在するか否かが判断される(ステップ２１０)。
ここで、次の原稿が存在しない場合は、メモリコントローラＢ１１２に対して裏面画像データを読み出すためのメモリ読み出し信号が出力される(ステップ２１１)。これにより、メモリＢ１０９に格納された裏面画像データが第１の画像処理部１０１に設けられた後処理部１０５に入力されると、後処理部１０５でフィルタ処理、拡大・縮小処理、色変換処理、階調変換処理(ＴＲＣ)、および、ステップ２０７で求められたＡＥ判定結果に基づく下地除去等が行われ、その後に外部に出力される(ステップ２１２)。
【００４０】
一方、次の原稿が存在する場合も、メモリコントローラＢ１１２に対して裏面画像データを読み出すためのメモリ読み出し信号が出力される(ステップ２１３)。これにより、メモリＢ１０９に格納された裏面画像データが第１の画像処理部１０１に設けられた後処理部１０５に入力されると、後処理部１０５でフィルタ処理、拡大・縮小処理、色変換処理、階調変換処理(ＴＲＣ)、および、ステップ２０７で求められたＡＥ判定結果に基づく下地除去等が行われ、その後に外部に出力され(ステップ２１４)、ステップ２０１へと戻る。
【００４１】
このように、全面ＡＥを行う両面同時読み取り処理では、読み取った表面画像データおよび裏面画像データを表面前処理部１０４および裏面前処理部１０６からＯｄｄ/Ｅｖｅｎではない８ビットのデータで出力するようにした。その結果ｍ表面画像データおよび裏面画像データをＲＧＢ３色の画像データを格納するために設けられたメモリＡ１０８,メモリＢ１０９,メモリＣ１１０に格納することが可能になった。そして、表面画像データおよび裏面画像データを画像データ格納部１０３に格納することができるために、表面画像データおよび裏面画像データに対してそれぞれ全面ＡＥ処理を施すことが可能になる。つまり表裏面共に原稿下地が除去されたきれいな表面画像データおよび裏面画像データを出力することが可能になる。
【００４２】
次に、さらに他の処理例について説明する。図７は、白黒原稿(Ｂ/Ｗ原稿)、解像度６００ＳＰＩ、全面ＡＥなし、ＴＩ分離処理ありで、生産性１００％とした場合における両面読み取り処理の流れを示したフローチャートである。
図７を用いて処理の流れを説明すると、まず、原稿送り装置１０による原稿の搬送が行われ、ＣＣＤイメージセンサ７８による原稿の第１面の読み取りおよびＣＩＳ５０による同じ原稿の第２面の読み取りが行われる(ステップ３０１)。これらのうちＣＣＤイメージセンサ７８によって読み取られた原稿の第１面の白黒画像データ(表面画像データ)は、信号処理部８１によってディジタル化処理が施された後に第１の画像処理部１０１の表面前処理部で前処理、具体的にはシェーディング補正処理およびＯｄｄ/Ｅｖｅｎの８ビット×２データ(１６ビットのデータ)で出力するための処理が行われる。そして、後処理部１０５においてフィルタ処理、拡大・縮小処理、色変換処理、階調変換処理(ＴＲＣ)、さらにはテキストとイメージとを分離するＴＩ分離処理等が行われ、その後外部に出力される(ステップ３０２)。
【００４３】
一方、ステップ３０１においてＣＩＳ５０によって読み取られた原稿の第２面の白黒画像データ(裏面画像データ)は、信号処理部８１によってディジタル化処理が施された後に第２の画像処理部１０２の裏面前処理部１０６で前処理が行われる(ステップ３０３)。ここで、前処理としては、シェーディング補正処理およびＯｄｄ/Ｅｖｅｎの８ビット×２データすなわち１６ビットのデータとして出力するための処理が行われ、その後画像データ格納部１０３に格納される(ステップ３０４)。なお、この例では、裏面前処理部１０６から出力される裏面画像データが上述したように８ビット×２(１６ビット)の白黒画像データであることから、裏面画像データを格納するために必要なメモリ容量はメモリＡ１０８,メモリＢ１０９,メモリＣ１１０のいずれか二つ分であればよく、例えばメモリコントローラＡ１１１,メモリコントローラＢ１１２によってメモリＡ１０８,メモリＢ１０９に書き込むことができる。そして、上記ステップ３０２における表面画像データの出力が終了した後にメモリコントローラＡ１１１,メモリコントローラＢ１１２に対して裏面画像データを読み出すためのメモリ読み出し信号が出力される(ステップ３０５)。これにより、メモリＡ１０８,メモリＢ１０９に格納された裏面画像データが第１の画像処理部１０１に設けられた後処理部１０５に入力されると、後処理部１０５でフィルタ処理、拡大・縮小処理、色変換処理、階調変換処理(ＴＲＣ)、さらにはテキストとイメージとを分離するＴＩ分離処理等が行われ、その後外部に出力される(ステップ３０６)。そして、次に読み込むべき原稿が存在するか否かが判断され(ステップ３０７)、次の原稿が存在する場合にはステップ３０１に戻って処理を続行し、次の原稿が存在しない場合には処理を終了する。
【００４４】
このように、ＴＩ分離を行う両面同時読み取り処理では、読み取った表面画像データを先に前処理、ＴＩ分離処理を含む後処理を施して出力する一方、読み取った裏面画像データについては、前処理を行った後に一旦画像データ格納部１０３に格納しておき、表面画像データの後処理が終わった後にＴＩ分離処理を含む後処理を行うことができる。この場合は、裏面画像データだけを画像データ格納部１０３に格納すればよいので、裏面前処理部１０６から画像データ格納部１０３へのデータの受け渡しに、Ｏｄｄ/Ｅｖｅｎの１６ビットデータを用いることができる。
【００４５】
次に、生産性２００％の場合における両面原稿の読み取り処理について説明する。図８は、白黒原稿(Ｂ/Ｗ原稿)、解像度６００ＳＰＩ、全面ＡＥなし、ＴＩ分離処理なしで、生産性２００％とした場合における両面読み取り処理の流れを示したフローチャートである。「生産性２００％」とは、原稿送り装置１０の通常(１００％)の原稿搬送能力を用いて原稿の両面を同時に読み取り、順次、読み出しを実行する状態であり、原稿送り装置１０による原稿搬送を停止させずに(待たせずに)連続読み出しを可能とする状態を示している。なお、上述した「同時」とは、時間的に完全に一致している場合だけに限定されるものではない。例えば、本実施の形態のように、原稿の表面画像データの読み取りと裏面画像データの読み取りとで重なる時間がある場合、表面画像データの読み取りが完了する前に裏面の画像データの読み取りが開始される場合、原稿を反転させずに一度の搬送で原稿の表裏両面の画像データを読み取る場合等を含めることができる。
【００４６】
図８を用いて処理の流れを説明すると、まず、原稿送り装置１０による原稿の搬送が行われ、ＣＣＤイメージセンサ７８による原稿の第１面の読み取りおよびＣＩＳ５０による同じ原稿の第２面の読み取りが行われる(ステップ４０１)。これらのうちＣＣＤイメージセンサ７８によって読み取られた原稿の第１面の白黒画像データ(表面画像データ)は、信号処理部８１によってディジタル化処理が施された後に第１の画像処理部１０１の表面前処理部１０４で前処理が行われる(ステップ４０２)。ここで、前処理としては、シェーディング補正処理およびＯｄｄ/Ｅｖｅｎではない８ビットのデータとして出力する処理が行われる。そして、表面前処理部１０４から出力された８ビットの表面画像データは、画像データ格納部１０３に格納される(ステップ４０３)。なお、この例では、表面画像データが上述したように８ビットの白黒画像データであることから、表面画像データを格納するために必要なメモリ容量はメモリＡ１０８,メモリＢ１０９,メモリＣ１１０のいずれか一つ分であればよく、例えばメモリコントローラＡ１１１によってメモリＡ１０８に書き込むことができる。
【００４７】
一方、ステップ４０１においてＣＩＳ５０によって読み取られた原稿の第２面の白黒画像データ(裏面画像データ)は、信号処理部８１によってディジタル化処理が施された後に第２の画像処理部１０２の裏面前処理部１０６で前処理が行われる(ステップ４０４)。ここで、前処理としては、上述した表面画像データに対する前処理と同様に、シェーディング補正処理およびＯｄｄ/Ｅｖｅｎではない８ビットのデータとして出力する処理が行われる。そして、裏面前処理部１０６から出力された８ビットの裏面画像データは、画像データ格納部１０３に格納される(ステップ４０５)。なお、この例では、裏面画像データが上述したように８ビットの白黒画像データであることから、裏面画像データを格納するために必要なメモリ容量はメモリＡ１０８,メモリＢ１０９,メモリＣ１１０のいずれか一つ分であればよく、例えばメモリコントローラＢ１１２によってメモリＢ１０９に書き込むことができる。
【００４８】
そして、次に読み込むべき原稿が存在するか否かが判断される(ステップ４０６)。
ここで、次の原稿が存在しない場合は、メモリコントローラＡ１１１およびメモリコントローラＢ１１２に対して表面画像データおよび裏面画像データを読み出すためのメモリ読み出し信号が出力される(ステップ４０７)。これにより、メモリＡ１０８に格納された表面画像データおよびメモリＢ１０９に格納された裏面画像データが第１の画像処理部１０１に設けられた後処理部１０５に入力される。このとき、メモリＡ１０８から読み出された表面画像データ(８ビット)およびメモリＢ１０９から読み出された裏面画像データ(８ビット)は、プログラマブルロジックアレイ１０７にて、１６ビットに変換されてから後処理部１０５に入力される。そして、１６ビットに変換された表面画像データ、裏面画像データが後処理部１０５に入力されると、後処理部１０５でフィルタ処理、拡大・縮小処理、色変換処理、階調変換処理(ＴＲＣ)等が行われ、その後に外部に出力される(ステップ４０８)。なお、後処理部１０５では、表面画像データが、後処理部１０５のフルカラー画像処理用に設けられたＹＭＣＫ用の回路のうち、Ｋ(黒)用の回路によって処理され、裏面画像データが、後処理部１０５のＢ/Ｗ画像処理用に設けられたＢ/Ｗ(ＬＬ)用の回路によって処理される。つまり、１６ビットのデータとして後処理部１０５に同時に入力された表面画像データおよび裏面画像データは、それぞれ並列に処理されるために高速な処理を行うことが可能になる。
【００４９】
一方、次の原稿が存在する場合も、メモリコントローラＡ１１１およびメモリコントローラＢ１１２に対して表面画像データおよび裏面画像データを読み出すためのメモリ読み出し信号が出力される(ステップ４０９)。これにより、メモリＡ１０８に格納された表面画像データおよびメモリＢ１０９に格納された裏面画像データは、プログラマブルロジックアレイ１０７によって１６ビットに変換、合成された状態で後処理部１０５に入力される。そして、合成された表面画像データ、裏面画像データが後処理部１０５に入力されると、後処理部１０５でフィルタ処理、拡大・縮小処理、色変換処理、階調変換処理(ＴＲＣ)等が行われ、その後に外部に出力され(ステップ４１０)、ステップ４０１へと戻る。
【００５０】
この例では、読み取った表面画像データおよび裏面画像データを表面前処理部１０４および裏面前処理部１０６からＯｄｄ/Ｅｖｅｎではない８ビットのデータで出力するようにした。これにより、表面画像データおよび裏面画像データを、限られたメモリ容量しかない画像データ格納部１０３内に同時に格納することが可能になる。そして、画像データ格納部１０３内から表面画像データおよび裏面画像データを同時に読み出し、後処理部１０５で表面画像データと裏面画像データとを並列的に後処理して外部へ出力するようにした。これにより、両面同時読み取りにおける生産性を向上させることができ、２００％生産性を確保することが可能となる。
【００５１】
なお、この例では８ビットすなわち２５６階調で表面画像データおよび裏面画像データを出力する例について説明を行ったが、表面画像データおよび裏面画像データを例えば２階調１ビット(白、黒のみ)で出力することもあり得る。この場合は、読み取った表面画像データおよび裏面画像データを表面前処理部１０４および裏面前処理部１０６からＯｄｄ/Ｅｖｅｎではない８ビットのデータで出力するようにし、後処理部１０５において、他の処理に加えて２値化処理を行ってから外部に出力すればよい。
【００５２】
次に、生産性２００％の場合における両面原稿の読み取り処理に関し、さらに別の処理例について説明する。図９は、白黒原稿(Ｂ/Ｗ原稿)、解像度３００ＳＰＩ、全面ＡＥなし、ＴＩ分離処理なしで、生産性２００％とした場合における両面読み取り処理の流れを示したフローチャートである。
【００５３】
図９を用いて処理の流れを説明すると、まず、原稿送り装置１０による原稿の搬送が行われ、ＣＣＤイメージセンサ７８による原稿の第１面の読み取りおよびＣＩＳ５０による同じ原稿の第２面の読み取りが行われる(ステップ５０１)。これらのうちＣＣＤイメージセンサ７８によって読み取られた原稿の第１面の白黒画像データ(表面画像データ)は、信号処理部８１によってディジタル化処理が施された後に第１の画像処理部１０１の表面前処理部１０４で前処理が行われる(ステップ５０２)。ここで、前処理としては、シェーディング補正処理およびＯｄｄ/Ｅｖｅｎの８ビット×２データすなわち１６ビットのデータとして出力するための処理と共に、フィルタ回路等を通して解像度変換を実行し、入力されてくる６００ＳＰＩ×６００ＳＰＩの表面画像データを３００ＳＰＩ×６００ＳＰＩに変換する処理が行われる。
【００５４】
一方、ステップ５０１においてＣＩＳ５０によって読み取られた原稿の第２面の白黒画像データ(裏面画像データ)は、信号処理部８１によってディジタル化処理が施された後に第２の画像処理部１０２の裏面前処理部１０６で前処理が行われる(ステップ５０３)。ここで、前処理としては、表面画像データと同様に、シェーディング補正処理およびＯｄｄ/Ｅｖｅｎの８ビット×２データすなわち１６ビットのデータとして出力するための処理と共に、フィルタ回路等を通して解像度変換を実行し、入力されてくる６００ＳＰＩ×６００ＳＰＩの表面画像データを３００ＳＰＩ(副走査方向)×６００ＳＰＩ(主走査方向)に変換する処理が行われる。
【００５５】
そして、表面前処理部１０４から出力された１６ビットの表面画像データおよび裏面前処理部１０６から出力された裏面画像データは、画像データ格納部１０３にマージされてから格納される(ステップ５０４)。なお、この例では、表面画像データおよび裏面画像データが１６ビットのままであるが、表面前処理部１０４および裏面前処理部１０６においてそれぞれの副走査方向解像度が半分にされていることから、マージされた表面画像データおよび裏面画像データを格納するために必要なメモリ容量はメモリＡ１０８,メモリＢ１０９,メモリＣ１１０のいずれか二つ分であればよく、例えばメモリコントローラＡ１１１,メモリコントローラＢ１１２によってメモリＡ１０８,メモリＢ１０９に書き込むことができる。
【００５６】
そして、次に読み込むべき原稿が存在するか否かが判断される(ステップ５０５)。
ここで、次の原稿が存在しない場合は、メモリコントローラＡ１１１およびメモリコントローラＢ１１２に対して表面画像データおよび裏面画像データを読み出すためのメモリ読み出し信号が出力される(ステップ５０６)。これによりメモリＡ１０８およびメモリＢ１０９に格納されたマージされた表面画像データおよび裏面画像データが第１の画像処理部１０１に設けられた後処理部１０５に入力される。そして、マージされた表面画像データおよび裏面画像データが後処理部１０５に入力されると、後処理部１０５でフィルタ処理、拡大・縮小処理、色変換処理、階調変換処理(ＴＲＣ)等が行われ、その後に外部に出力される(ステップ５０７)。
【００５７】
一方、次の原稿が存在する場合も、メモリコントローラＡ１１１およびメモリコントローラＢ１１２に対して表面画像データおよび裏面画像データを読み出すためのメモリ読み出し信号が出力される(ステップ５０８)。これによりメモリＡ１０８およびメモリＢ１０９に格納されたマージされた表面画像データおよび裏面画像データが第１の画像処理部１０１に設けられた後処理部１０５に入力される。そして、マージされた表面画像データおよび裏面画像データが後処理部１０５に入力されると、後処理部１０５でフィルタ処理、拡大・縮小処理、色変換処理、階調変換処理(ＴＲＣ)等が行われ、その後に外部に出力され(ステップ５０９)、ステップ５０１へと戻る。
【００５８】
次に、上述したステップ５０４における表面画像データおよび裏面画像データのマージについて説明する。
図１０(ａ)は、解像度６００ＳＰＩ×６００ＳＰＩ(以下、単に６００ＳＰＩという)で原稿の画像を読み取る際のページシンク信号(ＰＳ信号)、ラインシンク信号(ＬＳ信号)、６００ＳＰＩデータの関係を示している。６００ＳＰＩの場合、図中に示すＬＳ信号に応じて、６００ＳＰＩのカラー画像データが入力されてくる。
一方、図１０(ｂ)は、解像度３００ＳＰＩ×６００ＳＰＩ(以下、単に３００ＳＰＩという)で原稿の画像を読み取る際のＰＳ信号、ＬＳ信号、３００ＳＰＩデータの関係を示している。なお、図１０(ｂ)においては、ＣＣＤイメージセンサ７８で読み取られて解像度変換された表面画像データおよびＣＩＳ５０で読み取られて解像度変換された裏面画像データを共に示している。３００ＳＰＩの場合、図中に示すＬＳ信号の半分だけ３００ＳＰＩのカラー画像データが入力されてくるが、表面画像データと裏面画像データとが同時に入力されてしまうことになる。
【００５９】
そこで、本実施の形態では、図１０(ｃ)に示すように、上述した３００ＳＰＩにおいて表面画像データと裏面画像データとを１ＬＳ分だけずらし、ＰＳ信号も同期を合わせることで、３００ＳＰＩの表面画像データおよび裏面画像データをマージしている。これにより、表面画像データと裏面画像データとをリアルタイムでマージし、メモリに格納することが可能になる。なお、表面画像データと裏面画像データとを１ＬＳ分だけずらす手法としては、例えば、画像読み取り時のＰＳ信号発生を表裏で１ＬＳ分あるいは奇数ＬＳ分だけずらすやり方や、画像読み取り時のＰＳ信号は表裏で同一とし、裏面画像データあるいは表面画像データをラインメモリに一時的に格納することにより１ＬＳ分だけずらすやり方等が考えられる。
【００６０】
この例では、読み取った表面画像データおよび裏面画像データを表面前処理部１０４および裏面前処理部１０６で副走査方向の解像度を半分(６００ＳＰＩ→３００ＳＰＩ)に変換して出力するようにした。これにより、表面画像データおよび裏面画像データを、限られたメモリ容量しかない画像データ格納部１０３内に同時に格納することが可能になる。そして、画像データ格納部１０３からマージされた表面画像データおよび裏面画像データを読み出し、後処理部１０５で後処理して外部へ出力するようにした。これにより、両面同時読み取りにおける生産性を向上させることができ、２００％生産性を確保することが可能となる。
【００６１】
以上説明したように、本実施の形態では、シェーディング補正など、光源(照明ランプ７４やＬＥＤ５２)とセンサ(ＣＣＤイメージセンサ７８やＣＩＳ５０によって)との関係によって決定される各読み取り部固有の特性については、それぞれ専用の表面前処理部１０４や裏面前処理部１０６において前処理を施すようにした。一方、その他の一般的な画質に関わるフィルタ処理、拡大・縮小処理、色変換処理、階調変換処理(ＴＲＣ)、あるいは全面ＡＥやＴＩ分離等については表面画像データ、裏面画像データ共に同じ後処理部１０５において後処理を施すようにした。これにより、表面画像データと裏面画像データとの画質差を低減することができる。さらに、表面画像データおよび裏面画像データの後処理を同じ後処理部１０５で施すようにしたので、表面用、裏面用にそれぞれ専用の後処理回路を設ける必要がなくなり、装置構成の簡易化、小型化およびコストの低減を図ることができる。
【００６２】
また、全面ＡＥやＴＩ分離などの画像処理を施すか否か、あるいは１００％生産性を確保するか２００％生産性を確保するか等の条件によって、表面前処理部１０４から出力される表面画像データおよび裏面前処理部１０６から出力される裏面画像データの出力ビット数あるいは解像度を半減させるようにした。これにより、表面画像データおよび裏面画像データすなわち２枚分の画像データを、元々１枚の裏面画像データ(フルカラー画像データ)を格納するために設けられた画像データ格納部(メモリＡ１０８,メモリＢ１０９,メモリＣ１１０)内にまとめて格納することが可能となり、所望とする画像処理を施すことが可能になる。
【００６３】
なお、本実施の形態では、表面前処理部１０４、裏面前処理部１０６で行う前処理として、シェーディング補正処理を例に挙げて説明を行ったが、これに限られるものではなく、例えば白基準補正処理や黒基準補正処理、あるいは、白基準板(図示せず)に付着した埃や汚れを検出する処理および埃や汚れの影響を取り除く処理等、各読み取り部固有の特性に関する処理を施すことができる。
【図面の簡単な説明】
【００６４】
【図１】本実施の形態が適用される画像読み取り装置を示した図である。
【図２】ＣＩＳを用いた読み取り構造を説明するための図である。
【図３】処理装置を説明するためのブロック図である。
【図４】実施の形態１における画像処理装置の構成を示したブロック図である。
【図５】白黒原稿(Ｂ/Ｗ原稿)、解像度６００ＳＰＩ、全面ＡＥなし、ＴＩ分離処理なしで、生産性１００％とした場合における両面読み取り処理の流れを示したフローチャートである。
【図６】白黒原稿(Ｂ/Ｗ原稿)、解像度６００ＳＰＩ、全面ＡＥあり、ＴＩ分離処理なしで、生産性１００％とした場合における両面読み取り処理の流れを示したフローチャートである。
【図７】白黒原稿(Ｂ/Ｗ原稿)、解像度６００ＳＰＩ、全面ＡＥなし、ＴＩ分離処理ありで、生産性１００％とした場合における両面読み取り処理の流れを示したフローチャートである。
【図８】白黒原稿(Ｂ/Ｗ原稿)、解像度６００ＳＰＩ、全面ＡＥなし、ＴＩ分離処理なしで、生産性２００％とした場合における両面読み取り処理の流れを示したフローチャートである。
【図９】白黒原稿(Ｂ/Ｗ原稿)、解像度３００ＳＰＩ、全面ＡＥなし、ＴＩ分離処理なしで、生産性２００％とした場合における他の両面読み取り処理の流れを示したフローチャートである。
【図１０】(ａ)〜(ｃ)は解像度変換された表面画像データおよび裏面画像データのマージを説明するための図である。
【符号の説明】
【００６５】
１０…原稿送り装置、５０…ＣＩＳ、５２…ＬＥＤアレイ、５３…セルフォックレンズ、５４…ラインセンサ、７０…スキャナ装置、７３…フルレートキャリッジ、７４…照明ランプ、７５…ハーフレートキャリッジ、７７…結像用レンズ、７８…ＣＣＤイメージセンサ、７９…駆動基板、８０…処理装置、８１…信号処理部、８２…ＡＦＥ(Analog Front End)、８３…ＡＤＣ(Analog Digital Converter)、８４…ディジタル処理部、９０…制御部、９１…画像読み取りコントロール、９２…ＣＣＤ/ＣＩＳコントロール、９３…ランプコントロール、９４…スキャンコントロール、９５…搬送機構コントロール、１００…画像処理装置、１０１…第１の画像処理部、１０２…第２の画像処理部、１０３…画像データ格納部、１０４…表面前処理部、１０５…後処理部、１０６…裏面前処理部、１０７…プログラマブルロジックアレイ、１０８…メモリＡ、１０９…メモリＢ、１１０…メモリＣ、１１１…メモリコントローラＡ、１１２…メモリコントローラＢ、１１３…メモリコントローラＣ
【図１】
2006013924.tif 000003
【図２】
2006013924.tif 000004
【図３】
2006013924.tif 000005
【図４】
2006013924.tif 000006
【図５】
2006013924.tif 000007
【図６】
2006013924.tif 000008
【図７】
2006013924.tif 000009
【図８】
2006013924.tif 000010
【図９】
2006013924.tif 000011
【図１０】
2006013924.tif 000012